(57)【特許請求の範囲】
【請求項１】
所定深さに形成された流路を備える第一面と、前記第一面の反対側の第二面とを備えた検査チップであって、
前記第一面に形成され、抗原抗体反応のための磁性ビーズが保持されるビーズ保持部と、
前記第一面において前記ビーズ保持部に対して前記流路の上流側に形成され、前記ビーズ保持部に保持された前記磁性ビーズと混合させる試薬を、前記ビーズ保持部に導入する試薬導入部と、
前記第一面において前記ビーズ保持部における前記流路の下流側の端部に設けられ、前記磁性ビーズに接触した前記試薬を流出させる取り出し部と、
前記第二面において前記ビーズ保持部と対向して設けられ、磁石を移動可能に保持する磁石保持部と、
前記第一面から前記第二面に向かう厚み方向において、前記ビーズ保持部と前記磁石保持部とを隔てる隔壁と
を備え、
前記隔壁は、前記取り出し部側の端部である第一部位と、前記試薬導入部側の端部である第二部位との間に前記厚み方向の厚みが異なる部位を有することを特徴とする検査チップ。
【請求項２】
前記隔壁における前記第一部位と前記第二部位との間に、前記第一部位の前記厚みより厚い部位を含むことを特徴とする請求項１に記載の検査チップ。
【請求項３】
前記隔壁は、前記第一部位から前記第二部位側に向かうほど前記厚みが厚くなる傾斜面を備えたことを特徴とする請求項２に記載の検査チップ。
【請求項４】
前記第一部位は、前記磁石保持部側に平面である隔壁平面を備え、
前記磁石は、前記隔壁側に、前記隔壁平面より面積の小さい平面である磁石平面を備えることを特徴とする請求項１から３のいずれかに記載の検査チップ。
【請求項５】
前記隔壁における前記磁石保持部側の面は、平面であることを特徴とする請求項１から４のいずれかに記載の検査チップ。
【請求項６】
前記試薬導入部における前記取り出し部側の端部を形成する導入端部と、
前記ビーズ保持部を形成する面であって、前記取り出し部を形成する第一形成壁面と、
前記ビーズ保持部を形成する面であって、前記第一形成壁面における前記試薬導入部側の端である壁面端部に接続された第二形成壁面と
を備え、
前記第一形成壁面と前記第二形成壁面とは一方向に凹む凹部を形成し、
前記一方向と前記厚み方向とに直交する直交方向において、前記壁面端部は前記導入端部より前記取り出し部側に位置し、
前記取り出し部の前記一方向の第一長さは、前記磁石における前記一方向の第二長さより短く、
前記磁石保持部は、前記厚み方向において前記第一形成壁面と対向する面であって、前記第一形成壁面と平行な保持壁面を備えることを特徴とする請求項１から５のいずれかに記載の検査チップ。
【請求項７】
前記試薬導入部よりも前記流路の上流側に設けられ、検査対象物質を含む検査液体が注入される注入部と、
前記取り出し部よりも前記流路の下流側に設けられた測定部と
を備え、
前記ビーズ保持部と、前記注入部と、前記測定部とは、同じ方向に凹むことを特徴とする請求項１から６のいずれかに記載の検査チップ。
【発明の詳細な説明】
【技術分野】
【０００１】
本発明は、抗原抗体反応のためのビーズを保持する検査チップに関する。
【背景技術】
【０００２】
従来、抗原抗体反応のためのビーズを備える検査チップが知られている。例えば、特許文献１に記載の磁性ビードパッキングユニットは、試料液チャンバー、ウエストチャンバー、及び微細流動チャンネルを備えている。微細流動チャネルは、試料液チャンバーとウエストチャンバーとを接続する。微細流動チャンネルは、試料液チャンバー側の入口と、ウエストチャンバー側の出口との間を液体が流れる流路である。微細流動チャンネルは、屈曲部とボトルネック部を備えている。屈曲部に隣接した位置には、磁石が配置される。
【０００３】
試料液チャンバーには、抗原を含む試料液が注入され、さらに、磁石に引き付けられるビーズである磁性ビードに混合される。磁性ビードが混合された試料液は、試料液チャンバーに注入され、遠心力の作用によって、微細流動チャンネルを流れる。磁性ビードはボトルネック部によって移動速度が遅くなり、磁石の磁力に引かれて屈曲部に保持される。磁性ビードが分離された試料液は、ウエストチャンバーに流れる。次いで、試料液チャンバーにバッファ液が注入され、バッファ液によって屈曲部に保持された磁性ビードが洗浄される。次いで、免疫反応の検出のための基質が試料液チャンバーに注入され、屈曲部に保持された磁性ビードの表面に付着する。基質の種類に応じて蛍光、色素、又は放射性同位元素の測定などの方法で、免疫反応が検出される。
【先行技術文献】
【特許文献】
【０００４】
【特許文献１】特開２００８−５８３０２号公報
【発明の概要】
【発明が解決しようとする課題】
【０００５】
しかしながら、従来の磁性ビードパッキングユニットにおいては、屈曲部において、磁性ビードが常に磁石に引き付けられた状態となる。このため、磁石に引き付けられて屈曲部の壁部に接触した磁性ビードの表面の洗浄が行われなかったり、磁性ビードの表面に基質が付き難かったりする場合があった。よって、検査精度が低下する可能性があった。
【０００６】
本発明の目的は、検査精度が低下する可能性を低減する検査チップを提供することである。
【課題を解決するための手段】
【０００７】
本発明に係る検査チップは、所定深さに形成された流路を備える第一面と、前記第一面の反対側の第二面とを備えた検査チップであって、前記第一面に形成され、抗原抗体反応のための磁性ビーズが保持されるビーズ保持部と、前記第一面において前記ビーズ保持部に対して前記流路の上流側に形成され、前記ビーズ保持部に保持された前記磁性ビーズと混合させる試薬を、前記ビーズ保持部に導入する試薬導入部と、前記第一面において前記ビーズ保持部における前記流路の下流側の端部に設けられ、前記磁性ビーズに接触した前記試薬を流出させる取り出し部と、前記第二面において前記ビーズ保持部と対向して設けられ、磁石を移動可能に保持する磁石保持部と、前記第一面から前記第二面に向かう厚み方向において、前記ビーズ保持部と前記磁石保持部とを隔てる隔壁とを備え、前記隔壁は、前記取り出し部側の端部である第一部位と、前記試薬導入部側の端部である第二部位との間に前記厚み方向の厚みが異なる部位を有する。
【０００８】
この場合、磁石は磁石保持部において移動可能である。また、隔壁は、第一部位と、第二部位との間に厚み方向の厚みが異なる部位を有する。このため、磁石が動き、隔壁の厚みが薄い部分に移動した場合、磁性ビーズと磁石とが近づき、磁力によって磁性ビーズが保持され易くなる。一方、磁石が隔壁の厚みが、前記薄い部分より厚い部分に移動した場合、磁性ビーズと磁石とが離れ、磁性ビーズが保持され難くなる。すなわち、磁性ビーズに作用する磁石の磁力が変化することで、磁性ビーズの保持と、保持の解除とが行われる。よって、磁性ビーズが常に磁石に引き付けられて常に隔壁に接触している場合に比べて、試薬が磁性ビーズの表面に接触し易い。故に、検査精度が低下する可能性を低減できる。
【０００９】
前記検査チップにおいて、前記隔壁における前記第一部位と前記第二部位との間に、前記第一部位の前記厚みより厚い部位を含んでもよい。
【００１０】
前記検査チップにおいて、前記隔壁は、前記第一部位から前記第二部位側に向かうほど前記厚みが厚くなる傾斜面を備えてもよい。
【００１１】
前記検査チップにおいて、前記第一部位は、前記磁石保持部側に平面である隔壁平面を備え、前記磁石は、前記隔壁側に、前記隔壁平面より面積の小さい平面である磁石平面を備えてもよい。
【００１２】
前記検査チップにおいて、前記隔壁における前記磁石保持部側の面は、平面であってもよい。
【００１３】
前記検査チップは、前記試薬導入部における前記取り出し部側の端部を形成する導入端部と、前記ビーズ保持部を形成する面であって、前記取り出し部を形成する第一形成壁面と、前記ビーズ保持部を形成する面であって、前記第一形成壁面における試薬導入部側の端である壁面端部に接続された第二形成壁面とを備え、前記第一形成壁面と前記第二形成壁面とは一方向に凹む凹部を形成し、前記一方向と前記厚み方向とに直交する直交方向において、前記壁面端部は前記導入端部より前記取り出し部側に位置し、前記取り出し部の前記一方向の第一長さは、前記磁石における前記一方向の第二長さより短く、前記磁石保持部は、前記厚み方向において前記第一形成壁面と対向する面であって、前記第一形成壁面と平行な保持壁面を備えてもよい。
【００１４】
前記検査チップは、前記試薬導入部よりも前記流路の上流側に設けられ、検査対象物質を含む検査液体が注入される注入部と、前記取り出し部よりも前記流路の下流側に設けられた測定部とを備え、前記ビーズ保持部と、前記注入部と、前記測定部とは、同じ方向に凹んでもよい。
【図面の簡単な説明】
【００１５】
【図１】検査装置１及び制御装置９０を含む検査システム３の構成を示す図である。
【図２】検査チップ２の正面図である。
【図３】検査チップ２の後面図である。
【図４】検査チップ２の要部拡大図である。
【図５】磁性ビーズ３１、磁石４５１、及び試薬９の状態が第一状態である検査チップ２を示す図である。
【図６】磁性ビーズ３１、磁石４５１、及び試薬９の状態が第二状態である検査チップ２を示す図である。
【図７】磁性ビーズ３１、磁石４５１、及び試薬９の状態が第三状態である検査チップ２を示す図である。
【図８】遠心処理のフローチャートである。
【図９】遠心処理における検査チップ２の状態遷移図である。
【図１０】図９の続きの状態遷移図である。
【図１１】図１０の続きの状態遷移図である。
【発明を実施するための形態】
【００１６】
本発明を具体化した実施形態について、図面を参照して説明する。尚、図１は、検査システム３を構成する検査装置１の平面及び制御装置９０の内部の機能ブロックを示している。
【００１７】
＜１．検査システム３の概略構造＞
図１を参照して、検査システム３の概略構造について説明する。本実施形態の検査システム３は、試薬を収容可能な検査チップ２と、検査チップ２を用いて検査を行う検査装置１とを含む。検査装置１が検査チップ２から離間した垂直軸線Ａ１を中心として検査チップ２を回転させると、遠心力が検査チップ２に作用する。検査装置１が水平軸線Ａ２を中心に検査チップ２を回転させると、検査チップ２に作用する遠心力の方向である遠心方向が切り替えられる。尚、本実施形態の検査システム３及び検査装置１は、特開２０１２−７８１０７号公報に記載されているように周知の構造であるので、以下の説明では、検査装置１の構造の概略について説明する。
【００１８】
＜２．検査装置１の構造＞
図１を参照して、検査装置１の構造について説明する。以下の説明では、図１の上方、下方、右方、左方、紙面手前側、及び紙面奥側を、夫々、検査装置１の前方、後方、右方、左方、上方、及び下方とする。本実施形態では、垂直軸線Ａ１の方向は検査装置１の上下方向であり、水平軸線Ａ２の方向は、検査チップ２が垂直軸線Ａ１を中心として回転される際の速度の方向である。尚、図１は検査装置１の上部筐体３０の天板が取り除かれた状態を示す。
【００１９】
図１に示すように、検査装置１は、上部筐体３０、下部筐体２９、上板３２、ターンテーブル３３、角度変更機構３４、及び制御装置９０を備える。ターンテーブル３３は、後述する上板３２の上側に回転可能に設けられた円盤である。検査チップ２は、ターンテーブル３３の上方に保持される。角度変更機構３４は、ターンテーブル３３に設けられた駆動機構である。この角度変更機構３４は、水平軸線Ａ２を中心に検査チップ２を各々回転させる。上部筐体３０は、後述する上板３２に固定されており、検査チップ２に対して光学測定を行う測定部７が内部に設けられている。制御装置９０は、検査装置１の各種処理を制御するコントローラである。
【００２０】
下部筐体２９の概略構造を説明する。下部筐体２９は、枠部材を組み合わせた箱状のフレーム構造を有する。下部筐体２９の上面には、長方形の板材である上板３２が設けられている。下部筐体２９の内部には、垂直軸線Ａ１を中心にターンテーブル３３を回転させる駆動機構が、次のように設けられている。
【００２１】
下部筐体２９内の左方寄りに、ターンテーブル３３を回転させるための駆動力を供給する主軸モータ３５が設置されている。主軸モータ３５の軸３６は、上方に突出しており、プーリ３７が固定されている。下部筐体２９の中央部には、下部筐体２９の内部から上方に延びる垂直な主軸５７が設けられている。主軸５７は、上板３２を貫通して、下部筐体２９の上側に突出している。主軸５７の上端部は、ターンテーブル３３の中央部に接続されている。
【００２２】
主軸５７は、上板３２の直下に設けられた図示しない支持部材により、回転自在に保持されている。支持部材の下側では、主軸５７にプーリ３８が固定されている。プーリ３７とプーリ３８とに亘って、ベルト３９が掛け渡されている。主軸モータ３５が軸３６を回転させると、プーリ３７、ベルト３９、及びプーリ３８を介して駆動力が主軸５７に伝達される。このとき、主軸５７の回転に連動して、ターンテーブル３３が主軸５７を中心に回転する。
【００２３】
下部筐体２９内の右方寄りに、下部筐体２９の内部において上下方向に延びる図示しないガイドレールが設けられている。図示しないＴ型プレートは、ガイドレールに沿って下部筐体２９内において上下方向に移動可能である。
【００２４】
先述の主軸５７は、内部が中空の筒状体である。図示しない内軸は、主軸５７の内部において上下方向に移動可能な軸である。内軸の上端部は、主軸５７内を貫通してラックギア４３に接続されている。Ｔ型プレートの左端部には、図示しない軸受が設けられている。軸受の内部では、内軸の下端部が回転自在に保持される。
【００２５】
Ｔ型プレートの前方には、Ｔ型プレートを上下動させるためのステッピングモータ５１が固定されている。ステッピングモータ５１の軸５８は後方、すなわち図１では下方側に向けて突出している。軸５８の先端には、図示しない円盤状のカム板が固定されている。カム板の後側の面には、図示しない円柱状の突起が設けられている。突起の先端部は、図示しない溝部に挿入されている。突起は、溝部内を摺動可能である。ステッピングモータ５１が軸５８を回転させると、カム板の回転に連動して突起が上下動する。このとき、溝部に挿入されている突起に連動して、Ｔ型プレートがガイドレールに沿って上下動する。
【００２６】
角度変更機構３４の詳細構造を説明する。角度変更機構３４は、ターンテーブル３３の上面に固定された一対のＬ型プレート６０を有する。各Ｌ型プレート６０は、ターンテーブル３３の中心近傍に固定された基部から上方に延び、且つ、その上端部がターンテーブル３３の径方向外側に向けて延びている。一対のＬ型プレート６０の間には、内軸に固定された図示しないラックギア４３が設けられている。ラックギア４３は、上下方向に長い金属製の板状部材であり、両端面にギアが各々刻まれている。
【００２７】
各Ｌ型プレート６０の延設方向の先端側では、ギア４５を有する水平な支軸４６が回転自在に軸支されている。支軸４６は図示外の装着用ホルダを介して検査チップ２に固定されている。このため、ギア４５の回転に連動して検査チップ２も支軸４６を中心に回転する。ギア４５とラックギア４３との間には、Ｌ型プレート６０により図示略の水平軸線を中心に回転自在に支持されたピニオンギア４４が介在している。ピニオンギア４４は、ギア４５及びラックギア４３に夫々噛合している。ラックギア４３の上下動に連動して、ピニオンギア４４、及びギア４５が夫々従動回転し、ひいては検査チップ２が支軸４６を中心に回転する。
【００２８】
本実施形態では、主軸モータ３５がターンテーブル３３を回転駆動するのに伴って、検査チップ２が垂直軸である主軸５７を中心に回転して、検査チップ２に遠心力が作用される。検査チップ２の垂直軸線Ａ１を中心とした回転を、公転と呼ぶ。一方、ステッピングモータ５１が内軸を上下動させるのに伴って、検査チップ２が水平軸である支軸４６を中心に回転して、検査チップ２に作用する遠心力の方向が相対変化する。検査チップ２の水平軸線Ａ２を中心とした回転を、自転と呼ぶ。
【００２９】
Ｔ型プレートが可動範囲の最下端まで下降した状態では、ラックギア４３も可動範囲の最下端まで下降する。このとき、検査チップ２は、自転角度が０度の定常状態になる。また、Ｔ型プレートが可動範囲の最上端まで上昇した状態では、ラックギア４３も可動範囲の最上端まで上昇する。このとき、検査チップ２は、定常状態から水平軸線Ａ２を中心に１８０度回転した状態になる。つまり、本実施形態では検査チップ２が自転可能な角度幅は、自転角度０度〜１８０度である。
【００３０】
上部筐体３０の詳細構造を説明する。図１に示すように、上部筐体３０は、枠部材を組み合わせた箱状のフレーム構造を有し、上板３２の左部上側に設置されている。より詳細には、上部筐体３０は、ターンテーブル３３の回転中心にある主軸５７からみて、検査チップ２が回転される範囲の外側に設けられている。
【００３１】
上部筐体３０の内部に設けられた測定部７は、測定光を発光する光源７１と、光源７１から発せられた測定光を検出する光センサ７２とを有する。光源７１及び光センサ７２は、検査チップ２の回転範囲の外側において、ターンテーブル３３の前後両側に配置されている。本実施形態では、検査チップ２の公転可能範囲のうちで主軸５７の左側位置が、検査チップ２に測定光が照射される測定位置である。検査チップ２が測定位置にある場合、光源７１と光センサ７２とを結ぶ測定光が、検査チップ２の前面及び後面に対して略垂直に交差する。
【００３２】
＜３．制御装置９０の電気的構成＞
図１を参照して、制御装置９０の電気的構成について説明する。制御装置９０は、検査装置１の主制御を司るＣＰＵ１０１と、各種データを一時的に記憶するＲＡＭ１０２と、制御プログラムを記憶したＲＯＭ１０３とを有する。ＣＰＵ１０１には、ユーザが制御装置９０に対する指示を入力するための操作部１０４と、各種データ、及びプログラムを記憶するハードディスク装置１０５と、各種情報を表示するディスプレイ１０６とが接続されている。制御装置９０としては、パーソナルコンピュータを用いてもよいし、専用の制御装置を用いてもよい。
【００３３】
さらに、ＣＰＵ１０１には、公転コントローラ９７、自転コントローラ９８、及び測定コントローラ９９が接続されている。公転コントローラ９７は、主軸モータ３５を回転駆動させる制御信号を主軸モータ３５に送信することによって、検査チップ２の公転を制御する。自転コントローラ９８は、ステッピングモータ５１を回転駆動させる制御信号をステッピングモータ５１に送信することによって、検査チップ２の自転を制御する。測定コントローラ９９は、測定部７を駆動することによって、検査チップ２の光学測定を実行する。詳細には、測定コントローラ９９は、光源７１の発光、及び光センサ７２の光検出を実行させる制御信号を、光源７１及び光センサ７２に送信する。尚、ＣＰＵ１０１が公転コントローラ９７、自転コントローラ９８及び測定コントローラ９９を制御する。
【００３４】
＜４．検査チップ２の構造＞
図２〜図７を参照して、本実施形態に係る検査チップ２の詳細構造を説明する。以下の説明では、図２の上方、下方、左方、右方、紙面手前側、及び紙面奥側を、それぞれ、検査チップ２の上方、下方、左方、右方、前方、及び後方とする。本実施形態では、検査チップ２が使用され、ＥＬＩＳＡ法によって検査が行われる。ＥＬＩＳＡは、Ｅｎｚｙｍｅ−ｌｉｎｋｅｄ  ｉｍｍｕｎｏｓｏｒｂｅｎｔ  ａｓｓａｙの略である。
【００３５】
図２に示すように、検査チップ２は一例として前方から見た場合に上辺部８１、下辺部８４、右辺部８２、及び左辺部８３を有する正方形状であり、所定の厚みを有する透明な合成樹脂の板材１９を主体とする。図２及び図３に示すように板材１９は、前面である第一面２０３と第一面２０３の反対側の後面である第二面２０４とを備えている。以下の説明では、第一面２０３から第二面２０４に向かう後方向を、厚み方向という場合がある。また、厚み方向と下方向とに直交する左右方向を、直交方向という場合がある。
【００３６】
図２及び図３に示すように、第一面２０３及び第二面２０４は、それぞれ透明の合成樹脂の薄板から構成されたシート２９１、２９２によって封止されている。板材１９とシート２９１との間には、検査チップ２に封入された液体が流動可能な液体流路２５が形成されている。液体流路２５は、第一面２０３に所定深さに形成された凹部であり、厚み方向と直交する方向に延びる。シート２９１，２９２は、図２及び図３以外においては図示を省略している。
【００３７】
液体流路２５は、４つの測定流路２５１〜２５４を含む。測定流路２５１〜２５４は、夫々、左から右方向に並んで設けられている。以下の説明において、測定流路２５１〜２５４に共通する構成の符号は、測定流路２５１のみに示す場合がある。まず、測定流路２５１〜２５４に共通する構成について説明する。
【００３８】
図１に示すように、第一面２０３には、測定流路２５１〜２５４が有する流路のうち、反応停止液注入部３１０、基質溶液注入部３３０、洗浄液注入部３５０、標識抗体液注入部３７０、検査液体注入部３９０、ビーズ保持部４１０、測定部４３０、廃液部４４０、及び供給部３２０，３４０，３６０，３８０，４００，４２０等が形成されている。図３に示すように、第二面２０４には、厚み方向に所定深さに形成された凹部である磁石保持部４５０が形成されている。図２に示すように、反応停止液注入部３１０、基質溶液注入部３３０、洗浄液注入部３５０、標識抗体液注入部３７０、検査液体注入部３９０、ビーズ保持部４１０、及び測定部４３０は、互いに同じ方向である下方向に凹んで形成されている。
【００３９】
反応停止液注入部３１０、基質溶液注入部３３０、洗浄液注入部３５０、標識抗体液注入部３７０、検査液体注入部３９０、及びビーズ保持部４１０は、夫々、反応停止液９１、基質溶液９２、洗浄液９３、標識抗体液９４、検査液体９５、及び磁性ビーズ分散液９６が貯留される部位である。磁性ビーズ分散液９６は、抗原抗体反応のための磁性ビーズ３１を含む液体である。磁性ビーズ３１は、球状であり、表面に固相化された抗体を有する。磁性ビーズ３１は、図３に示す後述する磁石４５１に引き付けられる。検査液体９５は、例えば、血液、血漿、血球、骨髄、尿、膣組織、上皮組織、腫瘍、精液、唾液、又は食料品などの成分を含む液体である。また、標識抗体液９４は、酵素標識抗体を含む液体である。酵素標識抗体は、検査対象の物質と磁性ビーズ３１の抗体との結合体に特異的に結合する、酵素で標識された抗体である。検査液体９５が、磁性ビーズ３１に接触すると、磁性ビーズ３１の表面に固相化された抗体に、検査液体９５に含まれる検査対象の物質が結合する。次いで、標識抗体液９４が磁性ビーズ３１に接触すると、検査対象の物質と磁性ビーズ３１の抗体との結合体に酵素標識抗体が特異的に結合する。
【００４０】
洗浄液９３は、磁性ビーズ３１を洗浄する液体であり、磁性ビーズ３１の抗体と結合していない検査液体９５の成分等を除去する。基質溶液９２は、洗浄液９３によって洗浄された後の磁性ビーズ３１に接触し、酵素標識抗体と酵素反応する液体である。反応停止液９１は、基質溶液９２と混合される液体であり、酵素反応が進行するのを停止する液体である。本実施形態では、基質溶液９２が酵素反応することによって生じる蛍光物質又は呈色物質を検出して、検査対象の物質を測定することができる。以下の説明では、反応停止液９１、基質溶液９２、洗浄液９３、検査液体９５、及び磁性ビーズ分散液９６を総称する場合、又は、いずれかを特定しない場合、試薬９という。
【００４１】
反応停止液注入部３１０は、検査チップ２の上部に設けられている。反応停止液注入部３１０は、上方に開口する凹部である。供給部３２０は、反応停止液注入部３１０の右上部分から下方向に延びる流路である。供給部３２０の左下部は、基質溶液注入部３３０に繋がっている。即ち、基質溶液注入部３３０は、反応停止液注入部３１０よりも下流に配置されている。
【００４２】
基質溶液注入部３３０は、上方に開口する凹部である。供給部３４０は、基質溶液注入部３３０の右上部分から下方向に延びる流路である。供給部３４０の左下部は、洗浄液注入部３５０に繋がっている。即ち、洗浄液注入部３５０は、基質溶液注入部３３０よりも下流に配置されている。
【００４３】
洗浄液注入部３５０は、上方に開口する凹部である。供給部３６０は、洗浄液注入部３５０の右上部分から下方向に延びる流路である。供給部３６０の左下部は、標識抗体液注入部３７０に繋がっている。即ち、標識抗体液注入部３７０は、洗浄液注入部３５０よりも下流に配置されている。
【００４４】
標識抗体液注入部３７０は、上方に開口する凹部である。供給部３８０は、標識抗体液注入部３７０の右上部分から下方向に延びる流路である。供給部３８０の左下部は、検査液体注入部３９０に繋がっている。即ち、検査液体注入部３９０は、標識抗体液注入部３７０よりも下流に配置されている。
【００４５】
検査液体注入部３９０は、上方に開口する凹部である。供給部４００は、検査液体注入部３９０の右上部分から下方向に延びる流路である。供給部４００の左下部は、ビーズ保持部４１０に繋がっている。即ち、ビーズ保持部４１０は、検査液体注入部３９０よりも下流に配置されている。
【００４６】
ビーズ保持部４１０は、上方に開口する凹部である。ビーズ保持部４１０は、複数の磁性ビーズ３１を保持する部位である。磁性ビーズ３１は、磁性ビーズ分散液９６に含まれる。ビーズ保持部４１０の詳細については、後述する。
【００４７】
供給部４２０は、ビーズ保持部４１０の右上部から下方向に延びる流路である。供給部４２０の左下部は、測定部４３０に繋がっている。即ち、測定部４３０は、ビーズ保持部４１０よりも下流に配置されている。測定部４３０は、上方に開口する凹部である。後述する光学測定が行われる際には、測定部４３０に測定光が透過され、図１１（Ｍ）に示す後述する測定溶液９２１が測定される。
【００４８】
測定部４３０の右上部は、廃液部４４０に繋がっている。即ち、廃液部４４０は、測定部４３０よりも下流に配置されている。廃液部４４０は、上方に開口する凹部である。廃液部４４０は、測定部４３０において測定されない試薬９が測定部４３０から廃液される部位である。
【００４９】
測定部４３０を形成する面の内、廃液部４４０に繋がる流路を形成する面を廃液流路面４３１という。廃液流路面４３１は右上方向に延びる。廃液流路面４３１が延びる方向と下方向とがなす角度Ｒ１２は、ビーズ保持部４１０の後述する第一形成壁面５１０が延びる方向と下方向とがなす角度Ｒ１１より大きい。
【００５０】
図３に示すように、第二面２０４に形成された磁石保持部４５０は、厚み方向に図２に示すビーズ保持部４１０と対向して設けられている。ビーズ保持部４１０と磁石保持部４５０とは、厚み方向において隔壁２０によって隔てられている。磁石保持部４５０は、磁石４５１を移動可能に保持する。磁石４５１は、円柱形状である。円柱形状の軸線方向が厚み方向に一致されて、磁石４５１は磁石保持部４５０に保持される。磁石４５１における隔壁２０側の前面視円形状の平面を、磁石平面４５７という。
【００５１】
ビーズ保持部４１０、磁石保持部４５０、及び隔壁２０について説明する。以下の説明では、測定流路２５１〜２５４のビーズ保持部４１０を、夫々、ビーズ保持部４１０Ａ，４１０Ｂ，４１０Ｃ，４１０Ｄという場合がある。厚み方向においてビーズ保持部４１０Ａ，４１０Ｂ，４１０Ｃ，４１０Ｄに対向する磁石保持部４５０を、夫々、磁石保持部４５０Ａ，４５０Ｂ，４５０Ｃ，４５０Ｄという場合がある。測定流路２５１〜２５４の隔壁２０を、夫々、隔壁２０Ａ，２０Ｂ，２０Ｃ，２０Ｄという場合がある。尚、図５〜図７の（Ａ）は、ビーズ保持部４１０の近傍を図示し、（Ｂ）は、図２のＡ−Ａ線矢視方向断面図である。図５〜図７の（Ｂ）においては、試薬９の図示は省略している。図５〜図７の（Ｃ）は、（Ａ）（Ｂ）との形状の対比を分かり易く示すために、図２に示す検査チップ２を左右反転した磁石保持部４５０を示している。
【００５２】
ビーズ保持部４１０Ａ〜４１０Ｄに共通する構成について、ビーズ保持部４１０Ａを参照して説明する。図４に示すように、ビーズ保持部４１０は、第一形成壁面５１０、第二形成壁面５２０、第三形成壁面５３０、第四形成壁面５４０、仮想線５４２、及び取り出し部５７０に囲まれる領域である。
【００５３】
第四形成壁面５４０は、ビーズ保持部４１０の上部を形成する壁面であり、左斜め下方に傾いている。第四形成壁面５４０は、ビーズ保持部４１０と供給部４００とを隔てる壁部５００のビーズ保持部４１０側の面である。仮想線５４２は、第四形成壁面５４０の左端から第四形成壁面に平行に延びる線である。仮想線５４２は、後述する第三形成壁面５３０の上下方向の中央のやや下側と交差している。第一形成壁面５１０は、ビーズ保持部４１０の右下部を形成する壁面であり、右斜め上方に傾いている。第一形成壁面５１０は下流側の端部である取り出し端部５１１を備えている。取り出し部５７０は、第四形成壁面５４０における取り出し端部５１１の上方に位置する部位５４１と、取り出し端部５１１とによって形成されている。取り出し部５７０は、ビーズ保持部４１０の下流の端部に位置し、ビーズ保持部４１０において磁性ビーズ３１に接触した試薬９を流出させる。取り出し部５７０の下方向の第一長さＬ１は、磁石４５１における下方向の第二長さＬ２より短い。
【００５４】
第一形成壁面５１０における後述する試薬導入部５６０側である左下の端部を、壁面端部５１２という。第二形成壁面５２０は、壁面端部５１２に接続され、左上方に延びる。第二形成壁面５２０は、ビーズ保持部４１０の左下部を形成する。第一形成壁面５１０と第二形成壁面５２０とは、下方に凹む凹部５１３を形成する。
【００５５】
第三形成壁面５３０は、第二形成壁面５２０の左上の端部に接続され、上方に延びる。第三形成壁面５３０の下端と仮想線５４２との間の部位は、ビーズ保持部４１０の左部を形成する。
【００５６】
壁部５００における検査液体注入部３９０側の面を、上面５８０という。上面５８０の左下の端部を導入端部５８１という。導入端部５８１は、試薬導入部５６０における取り出し部５７０側の端部である。試薬導入部５６０は、第三形成壁面５３０における導入端部５８１の左方の部位５３１と、導入端部５８１との間の流路であり、図４においては部位５３１と導入端部５８１とを結ぶ仮想線で示している。試薬導入部５６０は、ビーズ保持部４１０の上流側に位置し、ビーズ保持部４１０に保持された図１に示す磁性ビーズ３１と混合させる試薬９をビーズ保持部４１０に導入する。直交方向において壁面端部５１２は、導入端部５８１より取り出し部５７０側である右側に位置している。尚、図８に示す後述する遠心処理において、検査チップ２が自転する過程において上面５８０に垂直な方向５８２に遠心力Ｘが作用したとき、試薬９は、供給部４００から、導入端部５８１を介して上面５８０に垂直な方向５８２に沿ってビーズ保持部４１０に移動する。
【００５７】
磁石保持部４５０Ａ〜４５０Ｄに共通する構成について説明する。図５（Ｃ）に示すように、磁石保持部４５０は、保持壁面４５２，４５３，４５４，４５５，４５６に囲まれる領域であり、ビーズ保持部４１０と略同じ形状を有する。保持壁面４５２は厚み方向において第一形成壁面５１０と対向する面であり、第一形成壁面５１０と平行である。保持壁面４５２の左下の端部を、壁面端部４５９という。保持壁面４５３は、壁面端部４５９に接続されている。保持壁面４５３は，厚み方向において第二形成壁面５２０と対向する面であり、第二形成壁面５２０と平行である。保持壁面４５４は、厚み方向において図４に示す第三形成壁面５３０におけるビーズ保持部４１０を形成する部位と対向する面であり、第三形成壁面５３０と平行である。保持壁面４５５は、厚み方向において図４に示す第四形成壁面５４０におけるビーズ保持部４１０を形成する部位と仮想線５４２とに対向する面であり、第四形成壁面５４０及び仮想線５４２と平行である。保持壁面４５６は、厚み方向において取り出し部５７０に対向する面であり、取り出し部５７０と平行である。
【００５８】
隔壁２０について説明する。図５に示すように、隔壁２０は、隔壁２０Ａ〜２０Ｄ相互間において形状が異なる。以下の説明では、隔壁２０Ａ〜２０Ｄにおける取り出し部５７０側の端部を第一部位２０１Ａ〜２０１Ｄといい、隔壁２０Ａ〜２０Ｄにおける第二部位２０２Ａ〜２０２Ｄ側の部位を、夫々、第二部位２０２Ａ〜２０２Ｄという。隔壁２０は、第一部位２０１Ａ〜２０１Ｄと第二部位２０２Ａ〜２０２Ｄとの間に厚みが異なる部位を有する。本実施形態では、第一部位２０１Ａ〜２０１Ｄと第二部位２０２Ａ〜２０２Ｄとの間に、第一部位２０１Ａ〜２０１Ｄの厚みより厚い部位を含んでいる。以下、隔壁２０Ａ〜２０Ｄの詳細な構造について順に説明する。
【００５９】
測定流路２５１の隔壁２０Ａについて説明する。図５（Ｂ）及び図５（Ｃ）に示すように、隔壁２０Ａは、直交方向において第一部位２０１Ａと壁面端部４５９との間に、突出部２１を備えている。即ち、第一部位２０１Ａより第二部位２０２Ａ側の部位が、第一部位２０１Ａの厚みより厚い部位を含んでいる。突出部２１は、磁石保持部４５０Ａの上下方向に亘って、第一面２０３から第二面２０４に向かう後方向に突出する。尚、図５（Ａ）及び図５（Ｂ）に示すように、隔壁２０Ａにおけるビーズ保持部４１０Ａ側の平面２０６は、直交方向に平行な面である。
【００６０】
図５（Ｂ）及び図５（Ｃ）に示すように、突出部２１は、傾斜面２１１と傾斜面２１２とを備えている。傾斜面２１１は、第一部位２０１Ａから第二部位２０２Ａ側である左方向に向かうほど、隔壁２０Ａの厚みが厚くなるように左後方向に傾斜する。傾斜面２１２は、傾斜面２１１の左端に接続されており、第一部位２０１Ａから第二部位２０２Ａ側である左方向に向かうほど、隔壁２０Ａの厚みが薄くなるように、左前方に傾斜している。第一部位２０１Ａの磁石保持部４５０Ａ側の平面を隔壁平面２０５Ａという。磁石４５１の磁石平面４５７の面積は、隔壁平面２０５Ａの面積より小さい。また、隔壁２０Ａにおける突出部２２より第二部位２０２Ａ側である左側の部位の厚みは、第一部位２０１Ａにおける厚み方向の厚みと同じである。
【００６１】
測定流路２５２の隔壁２０Ｂについて説明する。図５（Ｂ）及び図５（Ｃ）に示すように、隔壁２０Ｂは、直交方向において第一部位２０１Ｂと保持壁面４５４との間に、突出部２２を備えている。即ち、第一部位２０１Ｂより第二部位２０２Ｂ側の部位が、第一部位２０１Ｂの厚みより厚い部位を含んでいる。突出部２２は、磁石保持部４５０Ａの上下方向に亘って、第一面２０３から第二面２０４に向かう後方向に突出する。尚、図５（Ａ）及び図５（Ｂ）に示すように、隔壁２０Ｂにおけるビーズ保持部４１０Ｂ側の平面２０７は、直交方向に平行な面である。
【００６２】
図５（Ｂ）及び図５（Ｃ）に示すように、突出部２２は、傾斜面２２１と平面２２２とを備えている。傾斜面２２１は、第一部位２０１Ｂから第二部位２０２Ｂ側である左方向に向かうほど、隔壁２０Ｂの厚みが厚くなるように左後方向に傾斜する。平面２２２は、傾斜面２２１の左端に接続された直交方向に平行な面である。第一部位２０１Ｂの磁石保持部４５０Ｂ側の平面を隔壁平面２０５Ｂという。磁石４５１の磁石平面４５７の面積は、隔壁平面２０５Ｂの面積より小さい。
【００６３】
測定流路２５３の隔壁２０Ｃについて説明する。図５（Ａ）及び図５（Ｂ）に示すように、隔壁２０Ｃは、直交方向において第一部位２０１Ｃと第三形成壁面５３０との間に、突出部２３を備えている。即ち、第一部位２０１Ｃより第二部位２０２Ｃ側の部位が、第一部位２０１Ｃの厚みより厚い部位を含んでいる。突出部２３は、ビーズ保持部４１０Ｃの上下方向に亘って、第二面２０４から第一面２０３に向かう前方向に突出する。尚、図５（Ｂ）及び図５（Ｃ）に示すように、隔壁２０Ｃにおける磁石保持部４５０Ｃ側の平面２０８は、直交方向に平行な面である。
【００６４】
突出部２３は、傾斜面２３１と平面２３２とを備えている。傾斜面２３１は、第一部位２０１Ｃから第二部位２０２Ｃ側である左方向に向かうほど、隔壁２０Ｃの厚みが厚くなるように左前方向に傾斜する。平面２３２は、傾斜面２３１の左端に接続された直交方向に平行な面である。平面２３２は、試薬導入部５６０に向けて延びる。試薬導入部５６０には、上方に向かうほど、後方に向かうように傾く傾斜面５６１が設けられている。
【００６５】
測定流路２５４の隔壁２０Ｄについて説明する。図５（Ａ）及び図５（Ｂ）に示すように、隔壁２０Ｄは、直交方向において第一部位２０１Ｄと壁面端部５１２との間に、突出部２４を備えている。即ち、第一部位２０１Ｄより第二部位２０２Ｄ側の部位が、第一部位２０１Ｄの厚みより厚い部位を含んでいる。突出部２１は、ビーズ保持部４１０Ｄの上下方向に亘って、第二面２０４から第一面２０３に向かう前方向に突出する。尚、図５（Ｂ）及び図５（Ｃ）に示すように、隔壁２０Ｄにおける磁石保持部４５０Ｄ側の平面２０９は、直交方向に平行な面である。
【００６６】
図５（Ａ）及び図５（Ｂ）に示すように、突出部２４は、傾斜面２４１と傾斜面２４２とを備えている。傾斜面２４１は、第一部位２０１Ｄから第二部位２０２Ｄ側である左方向に向かうほど、隔壁２０Ｄの厚みが厚くなるように左前方向に傾斜する。傾斜面２４２は、傾斜面２４１の左端に接続されており、第一部位２０１Ｄから第二部位２０２Ｄ側である左方向に向かうほど、隔壁２０Ｄの厚みが薄くなるように、左後方に傾斜している。また、隔壁２０Ｄにおける突出部２４より第二部位２０２Ｄ側である左側の部位の厚みは、第一部位２０１Ｄにおける厚み方向の厚みと同じである。
【００６７】
ビーズ保持部４１０に流入した試薬９が、供給部４００に流れる場合における磁石４５１、試薬９、及び磁性ビーズ３１の状態の変化について説明する。図２に示す上辺部８１から下辺部８４に向けて遠心力Ｘが作用した場合における検査チップ２、磁性ビーズ３１、磁石４５１、及び試薬９の状態が図５に第一状態として示される。左辺部８３から右辺部８２に向けて遠心力Ｘが作用した場合における検査チップ２、磁性ビーズ３１、磁石４５１、及び試薬９が図７に第三状態として示される。検査チップ２、磁性ビーズ３１、磁石４５１、及び試薬９が第一状態から第三状態に変化する途中の状態が図６に第二状態として示される。試薬導入部５６０からビーズ保持部４１０に流入した試薬９は、遠心力Ｘの作用によって、第一状態〜第三状態に示すように、供給部４２０に流れる。
【００６８】
第一状態から第三状態までの測定流路２５１の状態について説明する。第一状態において、図５（Ｃ）に示すように、第一状態において、遠心力Ｘの作用によって、磁石４５１は、保持壁面４５２と保持壁面４５３との間の下部に位置している。このとき、図５（Ｂ）に示すように、磁石４５１は、突出部２１より左側に位置しており、隔壁２０Ａの厚みが突出部２１より薄い部分に位置している。このため、図５（Ａ）に示すように、磁石４５１の磁力が、隔壁２０Ａを介して試薬９内の磁性ビーズ３１に作用し、磁性ビーズ３１が磁石４５１に引き付けられる。よって、磁性ビーズ３１は磁石４５１によって保持された状態となる。
【００６９】
図６（Ａ）に示すように、第二状態において、遠心力Ｘの作用によって、試薬９の液面は、第一状態に比べて傾く。また、図６（Ｂ）及び図６（Ｃ）に示すように、磁石４５１は、保持壁面４５２に沿って右上方に移動し、且つ傾斜面２１２に沿って後方に移動する。よって、磁石４５１は、隔壁２０Ａの厚みが第一部位２０１Ａより厚い部分に位置している。このため、図６（Ａ）に示すように、磁性ビーズ３１に作用する磁石４５１の磁力が、図５（Ａ）に示す第一状態より小さくなり、磁性ビーズ３１が磁石４５１に引き付けられ難くなる。よって、磁石４５１による磁性ビーズ３１の保持が解除された状態となる。このため、第一状態及び後述する第三状態の場合より、磁性ビーズ３１の表面が試薬９に触れ易い。尚、磁性ビーズ３１の保持とは、全ての磁性ビーズ３１が磁石４５１に引き付けられた状態だけでなく、磁性ビーズ３１の一部が引き付けられない状態も含む。保持の解除とは、磁性ビーズ３１を保持する場合より小さい磁力によって磁性ビーズ３１が引き付けられた状態であり、全ての磁性ビーズ３１が磁石４５１に引き付けられない状態だけでなく、一部の磁性ビーズ３１が磁石４５１に引き付けられた状態も含む。また、保持の解除とは、磁性ビーズ３１が磁石４５１に引き付けられているが、第一部位２０１Ａ，２０１Ｂ，２０１Ｃ，２０１Ｄに磁石４５１が位置する場合より、磁性ビーズ３１に作用する磁力が小さく、磁性ビーズ３１が動きやすい状態も含む。
【００７０】
図７（Ｂ）及び図７（Ｃ）に示すように、第三状態において、遠心力Ｘの作用によって、磁石４５１は、保持壁面４５２に沿って右上方に移動し、且つ傾斜面２１１に沿って前方に移動し、第一部位２０１Ａに移動する。よって、磁石４５１は、隔壁２０Ａの厚みが、突出部２１を形成する部位より薄い部分に位置している。磁石４５１の磁石平面４５７の面積は、隔壁平面２０５Ａの面積より小さいので、隔壁平面２０５Ａと磁石平面４５７とが接触する。図７（Ａ）に示すように、磁石４５１の磁力が、隔壁２０Ａを介して磁性ビーズ３１に作用し、磁性ビーズ３１が磁石４５１に引き付けられる。よって、磁性ビーズ３１は磁石４５１によって保持された状態となる。そして、磁性ビーズ３１が保持された状態において試薬９が供給部４２０に移動する。このため、磁性ビーズ３１は、ビーズ保持部４１０Ａに残り、試薬９のみが供給部４２０に移動した状態となる。尚、図２に示す第一長さＬ１は、第二長さＬ２より短いので、磁石４５１は取り出し部５７０より下流側にはみ出し難い。
【００７１】
第一状態から第三状態までの測定流路２５２の状態について説明する。図５（Ｃ）に示すように、第一状態において、遠心力Ｘの作用によって、磁石４５１は、保持壁面４５２と保持壁面４５３との間の下部に位置している。このとき、図５（Ｂ）に示すように、磁石４５１は、平面２２２の後側に位置しており、隔壁２０Ｂの厚みが第一部位２０１Ｂより厚い部分に位置している。このため、図５（Ａ）に示すように、磁性ビーズ３１に作用する磁石４５１の磁力が、図７（Ａ）に示す第三状態より小さくなり、磁性ビーズ３１が磁石４５１に引き付けられ難くなる。よって、磁石４５１による磁性ビーズ３１の保持が解除された状態となる。このため、磁性ビーズ３１の表面が試薬９に触れ易い。
【００７２】
図６（Ａ）に示すように、第二状態において、遠心力Ｘの作用によって、試薬９の液面は、第一状態に比べて傾く。また、図６（Ｂ）及び図６（Ｃ）に示すように、磁石４５１は、保持壁面４５２に沿って右上方に移動し、且つ傾斜面２２１に沿って前方に移動し始める。磁石４５１は、隔壁２０Ｂの厚みが第一部位２０１Ｂより厚く、且つ、平面２２２を形成する部位より薄い部分に位置している。このため、図６（Ａ）に示すように、磁性ビーズ３１に作用する磁石４５１の磁力が、図５（Ａ）に示す第一状態より大きく、且つ図７（Ａ）に示す後述する第三状態より小さくなり、磁性ビーズ３１が磁石４５１に徐々に引き付けられる。磁性ビーズ３１の表面は、第三状態の場合より試薬９に触れ易い。
【００７３】
図７（Ｂ）及び図７（Ｃ）に示すように、第三状態において、遠心力Ｘの作用によって、磁石４５１は、保持壁面４５２に沿って右上方に移動し、且つ傾斜面２２１に沿って前方に移動し、第一部位２０１Ｂに移動する。よって、磁石４５１は、隔壁２０Ｂの厚みが、突出部２２が設けられている部位より薄い部分に位置している。磁石平面４５７の面積は、隔壁平面２０５Ｂの面積より小さいので、隔壁平面２０５Ｂと磁石平面４５７とが接触する。図７（Ａ）に示すように、磁石４５１の磁力が、隔壁２０Ｂを介して磁性ビーズ３１に作用し、磁性ビーズ３１が磁石４５１に引き付けられる。よって、磁性ビーズ３１は磁石４５１によって保持された状態となる。そして、磁性ビーズ３１が保持された状態において試薬９が供給部４２０に移動する。このため、磁性ビーズ３１は、ビーズ保持部４１０Ｂに残り、試薬９のみが供給部４２０に移動した状態となる。尚、図２に示す第一長さＬ１は、第二長さＬ２より短いので、磁石４５１は取り出し部５７０より下流側にはみ出し難い。
【００７４】
第一状態から第三状態までの測定流路２５３の状態について説明する。図５（Ｃ）に示すように、第一状態において、遠心力Ｘの作用によって、磁石４５１は、保持壁面４５２と保持壁面４５３との間の下部に位置している。このとき、図５（Ｂ）に示すように、磁石４５１は、隔壁２０Ｃにおける平面２３２を有する部位の後側に位置しており、隔壁２０Ｃの厚みが第一部位２０１Ｃより厚い部分に位置している。このため、図５（Ａ）に示すように、磁性ビーズ３１に作用する磁石４５１の磁力が、図７（Ａ）に示す第三状態より小さくなり、磁性ビーズ３１が磁石４５１に引き付けられ難くなる。よって、磁石４５１による磁性ビーズ３１の保持が解除された状態となる。このため、磁性ビーズ３１の表面が試薬９に触れ易い。
【００７５】
図６（Ａ）に示すように、第二状態において、遠心力Ｘの作用によって、試薬９の液面は、第一状態に比べて傾く。また、図６（Ｂ）及び図６（Ｃ）に示すように、磁石４５１は、平面２０８に沿って右方に移動し始め、隔壁２０Ｃにおける傾斜面２３１を形成する部位の後側に移動する。磁石４５１は、隔壁２０Ｃの厚みが第一部位２０１Ｃより厚く、且つ、平面２３２を形成する部位より薄い部分に位置している。このため、図６（Ａ）に示すように、磁性ビーズ３１に作用する磁石４５１の磁力が、図５（Ａ）に示す第一状態より大きく、且つ図７（Ａ）に示す後述する第三状態より小さくなり、磁性ビーズ３１が磁石４５１に徐々に引き付けられる。磁性ビーズ３１の表面は、第三状態の場合より試薬９に触れ易い。
【００７６】
図７（Ｂ）及び図７（Ｃ）に示すように、第三状態において、遠心力Ｘの作用によって、磁石４５１は、保持壁面４５２に沿って右上方に移動し、第一部位２０１Ｃに移動する。よって、磁石４５１は、隔壁２０Ｃの厚みが、突出部２３が設けられている部位より薄い部分に位置している。このため、図７（Ａ）に示すように、磁石４５１の磁力が、隔壁２０Ｃを介して磁性ビーズ３１に作用し、磁性ビーズ３１が磁石４５１に引き付けられる。よって、磁性ビーズ３１は磁石４５１によって保持された状態となる。そして、磁性ビーズ３１が保持された状態において試薬９が供給部４２０に移動する。このため、磁性ビーズ３１は、ビーズ保持部４１０Ｃに残り、試薬９のみが供給部４２０に移動した状態となる。尚、図２に示す第一長さＬ１は、第二長さＬ２より短いので、磁石４５１は取り出し部５７０より下流側にはみ出し難い。
【００７７】
検査チップ２、第一状態から第三状態までの測定流路２５４の状態について説明する。図５（Ｃ）に示すように、第一状態において、遠心力Ｘの作用によって、磁石４５１は、保持壁面４５２と保持壁面４５３との間の下部に位置している。このとき、図５（Ｂ）に示すように、磁石４５１は、隔壁２０Ｄにおける突出部２４を形成する部位より左側に位置しており、隔壁２０Ｄの厚みが突出部２４を形成する部位より薄い部分に位置している。このため、図５（Ａ）に示すように、磁石４５１の磁力が、隔壁２０Ｄを介して試薬９内の磁性ビーズ３１に作用し、磁性ビーズ３１が磁石４５１に引き付けられる。よって、磁性ビーズ３１は磁石４５１によって保持された状態となる。
【００７８】
図６（Ａ）に示すように、第二状態において、遠心力Ｘの作用によって、試薬９の液面は、第一状態に比べて傾く。また、図６（Ｂ）及び図６（Ｃ）に示すように、磁石４５１は、保持壁面４５２に沿って右上方に移動し始め、隔壁２０Ｄにおける突出部２４を形成する部位の後側に移動する。磁石４５１は、隔壁２０Ｄの厚みが第一部位２０１Ｄより厚い部分に位置している。このため、図６（Ａ）に示すように、磁性ビーズ３１に作用する磁石４５１の磁力が、図５（Ａ）に示す第一状態より小さくなり、磁性ビーズ３１が磁石４５１に引き付けられ難くなる。よって、磁石４５１による磁性ビーズ３１の保持が解除された状態となる。このため、第一状態及び後述する第三状態の場合より、磁性ビーズ３１の表面が試薬９に触れ易い。
【００７９】
図７（Ｂ）及び図７（Ｃ）に示すように、第三状態において、遠心力Ｘの作用によって、磁石４５１は、保持壁面４５２に沿って右上方に移動し、第一部位２０１Ｄに移動する。よって、磁石４５１は、隔壁２０Ｄの厚みが突出部２１を形成する部位より薄い部分に位置している。このため、図７（Ａ）に示すように、磁石４５１の磁力が、隔壁２０Ｄを介して磁性ビーズ３１に作用し、磁性ビーズ３１が磁石４５１に引き付けられる。よって、磁性ビーズ３１は磁石４５１によって保持された状態となる。そして、磁性ビーズ３１が保持された状態において試薬９が供給部４２０に移動する。このため、磁性ビーズ３１は、ビーズ保持部４１０Ｄに残り、試薬９のみが供給部４２０に移動した状態となる。尚、図２に示す第一長さＬ１は、第二長さＬ２より短いので、磁石４５１は取り出し部５７０より下流側にはみ出し難い。
【００８０】
＜５．検査チップ２のその他構造＞
図１に示すように、Ｌ型プレート６０から延びる支軸４６は、図示外の装着用ホルダを介して板材１９の後面中央に垂直に連結される。支軸４６の回転に伴って、検査チップ２が支軸４６を中心に自転する。検査チップ２は図２に示す定常状態である場合、上辺部８１及び下辺部８４が重力Ｇの方向と直交し、右辺部８２及び左辺部８３が重力Ｇの方向と平行、且つ、左辺部８３が右辺部８２よりも主軸５７側に配置される。定常状態の検査チップ２が測定位置に配置されている状態において、光源７１と光センサ７２とを結ぶ測定光を測定部４３０に通過させることで、検査装置１は光学測定による検査を行う。
【００８１】
＜６．検査方法の一例＞
検査装置１及び検査チップ２を用いた検査方法について説明する。図２に示すように、測定流路２５１〜２５４の反応停止液注入部３１０に、反応停止液９１が注入される。基質溶液注入部３３０に、基質溶液９２が注入される。洗浄液注入部３５０に、洗浄液９３が注入される。標識抗体液注入部３７０に、標識抗体液９４が注入される。検査液体注入部３９０に、検査液体９５が注入される。
【００８２】
試薬９の配置方法は限定されない。例えば、シート２９１における反応停止液注入部３１０、基質溶液注入部３３０、洗浄液注入部３５０、標識抗体液注入部３７０、及び検査液体注入部３９０に対応する位置に穴が開いており、ユーザが穴から試薬９を注入し、さらにシールをして封止してもよい。また、予め試薬９が反応停止液注入部３１０、基質溶液注入部３３０、洗浄液注入部３５０、及び標識抗体液注入部３７０に配置されて、シート２９１によって封止されていてもよい。この場合、シート２９１における検査液体注入部３９０に対応する位置に穴が開いており、ユーザが穴から検査液体９５を注入し、さらにシールをして封止してもよい。また、測定流路２５１の検査液体注入部３９０の左側の壁部に孔が開いており、孔から測定流路２５１の検査液体注入部３９０に検査液体９５を注入し、孔にシールをして封止してもよい。
【００８３】
ユーザは検査チップ２を図示外の装着用ホルダに取り付けて、操作部１０４から処理開始のコマンドを入力する。これによって、ＣＰＵ１０１は、ＲＯＭ１０３に記憶されている制御プログラムに基づいて、図８に示す遠心処理を実行する。以下では説明の便宜のため、一つの検査チップ２を検査する手順を説明する。また、測定流路２５１〜２５４における試薬９の流れは、略同じであるので、図９〜１１においては、測定流路２５１のみを図示している。また、図２及び図９（Ａ）に示す検査チップ２の定常状態を自転角度０度といい、定常状態から９０度反時計回りに回転した状態を自転角度９０度という。尚、以下の説明においてＣＰＵ１０１が検査チップ２を自転角度０度から４０度又は９０度に回転させる場合、検査チップ２は、前方から見て反時計回りに回転する。また、ＣＰＵ１０１が検査チップ２を自転角度４０度又は９０度から０度に回転させる場合、検査チップ２は、前方から見て時計回りに回転する。また、図８に示す後述するＳ２、Ｓ３，及びＳ１５において、検査チップ２の公転の開始、公転の速度の制御、及び公転の停止を行う動作は、ＣＰＵ１０１が公転コントローラ９７を制御し、主軸モータ３５を制御することによって行われる。また、図８に示す後述するＳ４〜Ｓ１５において、検査チップ２を自転角度０度、４０度、又は９０度に回転させる動作は、ＣＰＵ１０１が自転コントローラ９８を制御してステッピングモータ５１を駆動制御することによって行われる。
【００８４】
図８に示すように、ＣＰＵ１０１は、ＨＤＤ１０５に予め記憶されているモータの駆動情報を読み込み、公転コントローラ９７に主軸モータ３５の駆動情報をセットし、自転コントローラ９８にステッピングモータ５１の駆動情報をセットする（Ｓ１）。このとき、検査チップ２は図２及び図９（Ａ）に示すように、定常状態であり自転角度０度である。次いで、自転角度が０度の検査チップ２の公転を開始し、公転の速度を速度Ｖに上げる（Ｓ２）速度Ｖは、例えば３０００ｒｐｍであり、検査チップ２に、数百Ｇほどの遠心力Ｘが作用する。
【００８５】
ＣＰＵ１０１は公転の速度Ｖを保持する（Ｓ３）。図９（Ｂ）に示すように、左辺部８３から図２に示す右辺部８２に向けて、検査チップ２に遠心力Ｘが作用する。遠心力Ｘの作用によって、反応停止液９１、基質溶液９２、洗浄液９３、標識抗体液９４、及び検査液体９５は、夫々、反応停止液注入部３１０、基質溶液注入部３３０、洗浄液注入部３５０、標識抗体液注入部３７０、及び検査液体注入部３９０から供給部３２０，３４０，３６０，３８０，４００に移動する。また、磁性ビーズ分散液９６のうち、磁性ビーズ３１以外の液体を磁性ビーズ分散液９６１という。磁性ビーズ分散液９６１は、ビーズ保持部４１０から供給部４２０に移動する。磁性ビーズ３１は、磁石４５１に保持され、ビーズ保持部４１０に残る。尚、以下の説明では、ターンテーブル３３の回転速度は速度Ｖで一定であるとするが、速度Ｖの値が遠心処理の途中で変更されてもよい。
【００８６】
次いで、図９（Ｃ）に示すように、ＣＰＵ１０１は自転角度９０度まで検査チップ２を回転させる（Ｓ４）。この結果、上辺部８１から下辺部８４に向けて、検査チップ２に遠心力Ｘが作用する。遠心力Ｘの作用によって、反応停止液９１、基質溶液９２、洗浄液９３、及び標識抗体液９４、は、夫々、供給部３２０，３４０，３６０，３８０から、基質溶液注入部３３０、洗浄液注入部３５０、標識抗体液注入部３７０、及び検査液体注入部３９０に移動する。また、検査液体９５は、供給部４００からビーズ保持部４１０に移動する。この時、図５に示すように、測定流路２５１〜２５４における磁性ビーズ３１、磁石４５１、及び検査液体９５は、第一状態となる。磁性ビーズ分散液９６１は、供給部４２０から測定部４３０に移動する。
【００８７】
次いで、図９（Ｄ）に示すように、ＣＰＵ１０１は自転角度０度まで検査チップ２を回転させる（Ｓ５）。この結果、左辺部８３から、図２に示す右辺部８２に向けて、検査チップ２に遠心力Ｘが作用する。遠心力Ｘの作用によって、反応停止液９１、基質溶液９２、洗浄液９３、及び標識抗体液９４は、夫々、基質溶液注入部３３０、洗浄液注入部３５０、標識抗体液注入部３７０、及び検査液体注入部３９０から、供給部３４０，３６０，３８０，４００に移動する。また、検査液体９５は、図６に示す第二状態を介して、図９（Ｄ）及び図７に示すように供給部４２０に移動する。図５〜図７に示す第一状態から第三状態に移行する間に、磁性ビーズ３１に固相化された抗体に、検査液体９５に含まれる検査対象の物質が結合する。磁性ビーズ３１は磁石４５１によって保持される。磁性ビーズ分散液９６１は、測定部４３０から廃液部４４０に移動する。
【００８８】
次いで、図９（Ｅ）に示すように、ＣＰＵ１０１は自転角度９０度まで検査チップ２を回転させる（Ｓ６）。この結果、上辺部８１から下辺部８４に向けて、検査チップ２に遠心力Ｘが作用する。遠心力Ｘの作用によって、反応停止液９１、基質溶液９２、及び洗浄液９３は、夫々、供給部３４０，３６０，３８０から、洗浄液注入部３５０、標識抗体液注入部３７０、及び検査液体注入部３９０に移動する。また、標識抗体液９４は、供給部４００からビーズ保持部４１０に移動する。この時、図５に示すように、測定流路２５１〜２５４における磁性ビーズ３１、磁石４５１、及び標識抗体液９４は、第一状態となる。検査液体９５は、供給部４２０から測定部４３０に移動する。
【００８９】
次いで、図１０（Ｆ）に示すように、ＣＰＵ１０１は自転角度０度まで検査チップ２を回転させる（Ｓ７）。この結果、左辺部８３から、図２に示す右辺部８２に向けて、検査チップ２に遠心力Ｘが作用する。遠心力Ｘの作用によって、反応停止液９１、基質溶液９２、及び洗浄液９３は、夫々、洗浄液注入部３５０、標識抗体液注入部３７０、及び検査液体注入部３９０から、供給部３６０，３８０，４００に移動する。また、標識抗体液９４は、図６に示す第二状態を介して、図１０（Ｆ）及び図７に示すように供給部４２０に移動する。図５〜図７に示す第一状態から第三状態に移行する間に、検査対象の物質と磁性ビーズ３１の抗体との結合体に酵素標識抗体が特異的に結合する。検査液体９５は、測定部４３０から廃液部４４０に移動する。
【００９０】
次いで、図１０（Ｇ）に示すように、ＣＰＵ１０１は自転角度９０度まで検査チップ２を回転させる（Ｓ８）。この結果、上辺部８１から下辺部８４に向けて、検査チップ２に遠心力Ｘが作用する。遠心力Ｘの作用によって、反応停止液９１及び基質溶液９２は、夫々、供給部３６０，３８０から、標識抗体液注入部３７０及び検査液体注入部３９０に移動する。また、洗浄液９３は、供給部４００からビーズ保持部４１０に移動する。この時、図５に示すように、測定流路２５１〜２５４における磁性ビーズ３１、磁石４５１、及び洗浄液９３は、第一状態となる。標識抗体液９４は、供給部４２０から測定部４３０に移動する。
【００９１】
次いで、図１０（Ｈ）に示すように、ＣＰＵ１０１は自転角度０度まで検査チップ２を回転させる（Ｓ９）。この結果、左辺部８３から、図２に示す右辺部８２に向けて、検査チップ２に遠心力Ｘが作用する。遠心力Ｘの作用によって、反応停止液９１及び基質溶液９２は、夫々、標識抗体液注入部３７０及び検査液体注入部３９０から、供給部３８０，４００に移動する。また、洗浄液９３は、図６に示す第二状態を介して、図１０（Ｈ）及び図７に示すように供給部４２０に移動する。図５〜図７に示す第一状態から第三状態に移行する間に、洗浄液９３が磁性ビーズ３１を洗浄する。標識抗体液９４は、測定部４３０から廃液部４４０に移動する。
【００９２】
次いで、図１０（Ｉ）に示すように、ＣＰＵ１０１は自転角度９０度まで検査チップ２を回転させる（Ｓ１０）。この結果、上辺部８１から下辺部８４に向けて、検査チップ２に遠心力Ｘが作用する。遠心力Ｘの作用によって、反応停止液９１は、供給部３８０から検査液体注入部３９０に移動する。また、基質溶液９２は、供給部４００からビーズ保持部４１０に移動する。この時、図５に示すように、測定流路２５１〜２５４における磁性ビーズ３１、磁石４５１、及び基質溶液９２は、第一状態となる。洗浄液９３は、供給部４２０から測定部４３０に移動する。
【００９３】
次いで、図１０（Ｊ）に示すように、ＣＰＵ１０１は自転角度０度まで検査チップ２を回転させる（Ｓ１１）。この結果、左辺部８３から、図２に示す右辺部８２に向けて、検査チップ２に遠心力Ｘが作用する。遠心力Ｘの作用によって、反応停止液９１は、夫々、検査液体注入部３９０から供給部４００に移動する。また、基質溶液９２は、図６に示す第二状態を介して、図１０（Ｊ）及び図７に示すように供給部４２０に移動する。図５〜図７に示す第一状態から第三状態に移行する間に、基質溶液９２が、洗浄液９３によって洗浄された後の磁性ビーズ３１に接触し、酵素標識抗体と酵素反応する。洗浄液９３は、測定部４３０から廃液部４４０に移動する。
【００９４】
次いで、図１１（Ｋ）に示すように、ＣＰＵ１０１は自転角度９０度まで検査チップ２を回転させる（Ｓ１２）。この結果、上辺部８１から下辺部８４に向けて、検査チップ２に遠心力Ｘが作用する。遠心力Ｘの作用によって、反応停止液９１は、供給部４００からビーズ保持部４１０に移動する。この時、図５に示すように、測定流路２５１〜２５４における磁性ビーズ３１、磁石４５１、及び基質溶液９２は、第一状態となる。基質溶液９２は、供給部４２０から測定部４３０に移動する。
【００９５】
次いで、図１１（Ｌ）に示すように、ＣＰＵ１０１は自転角度４０度まで検査チップ２を回転させる（Ｓ１３）。この結果、第一形成壁面５１０に垂直な方向の遠心力Ｘが作用する。遠心力Ｘの作用によって、反応停止液９１は、図６に示す第二状態を介して、図１１（Ｌ）及び図７に示すように供給部４２０に移動する。角度Ｒ１２が角度Ｒ１１より大きいので、基質溶液９２は、測定部４３０に保持される。
【００９６】
次いで、図１１（Ｍ）に示すように、ＣＰＵ１０１は自転角度９０度まで検査チップ２を回転させる（Ｓ１４）。この結果、上辺部８１から下辺部８４に向けて、検査チップ２に遠心力Ｘが作用する。反応停止液９１は、供給部４２０から測定部４３０に移動する。測定部４３０において基質溶液９２に反応停止液９１が混合され、基質溶液９２の酵素反応の進行が停止する。以下の説明では、反応停止液９１が混合された基質溶液９２を、測定溶液９２１という。
【００９７】
図１１には図示しないが、ＣＰＵ１０１は自転角度０度まで検査チップ２を回転させつつ、検査チップ２の公転を終了させる（Ｓ１５）。遠心処理は終了される。
【００９８】
遠心処理の実行後、ＣＰＵ１０１は公転コントローラ９７を制御し、検査チップ２を測定位置の角度まで回転移動させる。測定流路２５１〜２５４の測定部４３０には、検査液体９５が使用された測定溶液９２１が保持されている。図１に示す測定コントローラ９９は光源７１を発光させ、測定光を測定流路２５１〜２５４の測定部４３０に貯溜された測定溶液９２１に順に透過させる。ＣＰＵ１０１は、光センサ７２が受光した測定光の変化量に基づいて、測定流路２５１〜２５４の測定部４３０に貯溜された測定溶液９２１の光学測定を行い、測定データを取得する。ＣＰＵ１０１は、取得された測定データに基づいて、測定溶液９２１の測定結果を算出する。測定結果に基づく測定溶液９２１の検査結果が、図１に示すディスプレイ１０６に表示される。尚、本実施形態では、４か所の測定部４３０に貯留された測定溶液９２１を測定する。この場合、図１に示す光源７１と光センサ７２とが左右方向に移動し、４か所の測定部４３０に順に測定光を透過させてもよいし、４か所の測定部４３０に測定光を透過可能に夫々４つの光源７１と光センサ７２とが左右方向に並べて設けられてもよい。また、測定溶液９２１の測定方法は、光学測定に限られず、他の方法でもよい。
【００９９】
＜７．本実施形態の主たる作用・効果＞
以上のように本実施形態における測定が実行される。本実施形態では、測定流路２５１〜２５４の磁石４５１は、夫々、磁石保持部４５０Ａ〜４５０Ｄにおいて移動可能である。また、隔壁２０Ａ〜２０Ｄは、夫々、第一部位２０１Ａ〜２０１Ｄと、第二部位２０２Ａ〜２０２Ｄとの間に厚み方向の厚みが異なる部位を有する。このため、図５及び図７に示すように、磁石４５１が動き、隔壁２０Ａ〜２０Ｄにおける厚みが薄い部分に移動した場合、磁性ビーズ３１と磁石４５１とが近づき、磁力によって磁性ビーズ３１が保持され易くなる。一方、図５及び図６に示すように、磁石４５１が隔壁２０Ａ〜２０Ｄの厚みが、厚い部分に移動した場合、磁性ビーズ３１と磁石４５１とが離れ、磁性ビーズ３１が保持され難くなる。すなわち、磁性ビーズ３１に作用する磁石４５１の磁力が変化することで、磁性ビーズ３１の保持と、保持の解除とが行われる。よって、磁性ビーズが常に磁石４５１に引き付けられて常に隔壁２０Ａ〜２０Ｄに接触している場合に比べて、試薬９が磁性ビーズ３１の表面に接触し易い。故に、検査精度が低下する可能性を低減できる。
【０１００】
また、図５に示すように、第一部位２０１Ａ〜２０１Ｄより第二部位２０２Ａ〜２０２Ｄ側の部位が、夫々、第一部位２０１Ａ〜２０１Ｄの厚みより厚い部位を含んでいる。このため、図５及び図６に示すように、ビーズ保持部４１０における第一部位２０１Ａ〜２０１Ｄより第二部位２０２Ａ〜２０２Ｄ側の部位において、試薬９と磁性ビーズ３１とを接触させる場合に、磁性ビーズ３１の保持が解除され、試薬９と磁性ビーズ３１とが接触し易くなる。また、取り出し部５７０から供給部４２０に試薬９が流れる場合、隔壁２０Ａ〜２０Ｄにおける第一部位の厚みが薄いので、図７に示すように磁石４５１の磁力によって磁性ビーズ３１を保持できる。よって、磁性ビーズ３１が取り出し部５７０から下流に流出する可能性を低減できる。故に、検査精度が低下する可能性を低減できる。
【０１０１】
また、図５に示すように、隔壁２０Ａ，２０Ｂは、夫々、磁石保持部４５０Ａ，４５０Ｂ側の面に、第一部位２０１Ａ，２０１Ｂから第二部位２０２Ａ，２０２Ｂ側に向かうほど、隔壁２０Ａ，２０Ｂの厚みが厚くなる傾斜面２１１，２２１を備えている。このため、隔壁２０Ａ，２０Ｂにおける磁石保持部４５０Ａ，４５０Ｂ側の面に段差が形成されている場合に比べて、磁石４５１が移動し易い。よって、磁石４５１が段差に引っ掛かり、磁石４５１が移動せず、磁性ビーズ３１の保持又は保持の解除が行われない可能性を低減できる。よって、検査精度が低下する可能性を低減できる。
【０１０２】
また、隔壁２０Ｃ、２０Ｄは、夫々、ビーズ保持部４１０Ｃ，４１０Ｄ側の面に、第一部位２０１Ｃ，２０１Ｄから第二部位２０２Ｃ，２０２Ｄ側に向かうほど、隔壁２０Ｃ，２０Ｄの厚みが厚くなる傾斜面２３１，２４１を備えている。このため、隔壁２０Ｃ，２０Ｄにおけるビーズ保持部４１０Ｃ，４１０Ｄ側の面に段差が形成されている場合に比べて、磁性ビーズ３１が移動し易い。よって、磁性ビーズ３１が段差に引っ掛かり、磁性ビーズ３１が移動せず、磁石４５１による磁性ビーズ３１の保持又は保持の解除が行われない可能性を低減できる。よって、検査精度が低下する可能性を低減できる。
【０１０３】
また、図７（Ｂ）及び図７（Ｃ）に示すように、磁石４５１の磁石平面４５７の面積は、隔壁平面２０５Ａ，２０５Ｂの面積より小さい。このため、測定流路２５１，２５３の隔壁平面２０５Ａ，２０５Ｂが、夫々、磁石平面４５７に接触する。よって、磁石平面４５７の面積が隔壁平面２０５Ａ，２０５Ｂの面積より大きく、隔壁平面２０５Ａ，２０５Ｂの一部が、夫々、磁石平面４５７に接触し難い場合に比べて、磁性ビーズ３１を保持し易い。よって、磁性ビーズ３１が下流に流れる可能性を低減でき、検査精度が低下する可能性を低減できる。
【０１０４】
また、図５に示すように、測定流路２５３，２５４の隔壁２０Ｃ、２０Ｄにおける磁石保持部４５０Ｃ，４５０Ｄ側の面は、平面２０８，２０９である。このため、図５〜図７に示すように、磁石４５１が平面２０８，２０９を移動する。よって、隔壁２０Ｃ、２０Ｄにおける磁石保持部４５０Ｃ，４５０Ｄ側の面が傾いている場合に比べて、磁石４５１がスムーズに移動できる。よって、磁性ビーズ３１の保持と、保持の解除とを容易に行うことができる。よって、検査精度が低下する可能性を低減できる。
【０１０５】
また、図４に示すように、直交方向において、第一形成壁面５１０における試薬導入部５６０側の端である壁面端部５１２は、導入端部５８１より取り出し部５７０側である右側に位置している。このため、直交方向において、導入端部５８１より取り出し部５７０側の反対側である左側に壁面端部５１２が位置する場合に比べて、導入端部５８１からビーズ保持部４１０に流入する試薬９が、磁性ビーズ３１と接触する前に取り出し部５７０から流出し難い。よって、検査精度が低下する可能性を低減できる。
【０１０６】
また、図４に示すように、取り出し部５７０の第一長さＬ１は、磁石４５１における第二長さＬ２より短い。このため、図７に示すように、第一長さＬ１が第二長さＬ２以上である場合に比べて、磁石４５１が取り出し部５７０より下流側にはみ出し難い。よって、磁石４５１に保持された磁性ビーズ３１が、取り出し部５７０より下流側に一部がはみ出した磁石４５１から、取り出し部５７０より下流側の流路に流れる可能性を低減できる。よって、検査精度が低下する可能性を低減できる。
【０１０７】
また、図５に示すように、磁石保持部４５０の保持壁面４５２は、第一形成壁面５１０と対向し、第一形成壁面５１０と対向し且つ平行である。このため、図５〜図７に示すように、磁性ビーズ３１の流れに沿って磁石４５１が移動する。このため、保持壁面４５２が第一形成壁面５１０に対向しない場合、又は、第一形成壁面５１０と平行でない場合に比べて、磁石４５１が磁性ビーズ３１をより確実に保持できる。よって、磁石４５１が磁性ビーズ３１を保持できず、検査精度が低下する可能性を低減できる。
【０１０８】
また、測定部４３０において測定溶液９２１の測定が行われる場合には、検査チップ２に遠心力Ｘが作用しなくなり、測定部４３０が凹む方向である下方向に重力が作用する。このため、検査チップ２に、遠心力Ｘが作用しない。よって、例えば、試薬導入部５６０より上流にある反応停止液注入部３１０、基質溶液注入部３３０、洗浄液注入部３５０、標識抗体液注入部３７０、又は検査液体注入部３９０に、残った試薬９が移動して下流に流れる恐れがある。
【０１０９】
本実施形態では、各注入部３１０，３３０，３５０，３７０，３９０、ビーズ保持部４１０、及び測定部４３０は、互いに同じ方向である下方向に凹んで形成されている。このため、測定時には、各注入部３１０，３３０，３５０，３７０，３９０、ビーズ保持部４１０が凹む方向が重力方向となる。よって、各注入部３１０，３３０，３５０，３７０，３９０が、測定部４３０と異なる方向に凹む場合に比べて、残った試薬９が注入部３１０，３３０，３５０，３７０，３９０内に重力によって保持され易くなり、下流側に流れ難い。また、注入部３１０，３３０，３５０，３７０，３９０内に残った試薬が重力によって下流側に流れた場合でも、流れた試薬９は重力方向に凹むビーズ保持部４１０に保持され、測定部４３０に流れ難い。よって、注入部３１０，３３０，３５０，３７０，３９０に残った試薬９が測定部４３０に流れて検査精度が低下する可能性を低減できる。
【０１１０】
上記実施形態において、液体流路２５は本発明の流路の一例である。保持壁面４５２は本発明の保持壁面の一例である。壁面端部５１２は本発明の壁面端部の一例である。反応停止液注入部３１０、基質溶液注入部３３０、洗浄液注入部３５０、標識抗体液注入部３７０、及び検査液体注入部３９０は、本発明の注入部の一例である。下方向が本発明の一方向の一例である。
【０１１１】
尚、本発明は上記の実施形態に限定されるものではなく、種々の変更が可能である。例えば、注入部３１０，３３０，３５０，３７０，３９０、及びビーズ保持部４１０の少なくとも１つが、測定部４３０と同じ方向に凹まなくてもよい。ビーズ保持部４１０と磁石保持部４５０とが同じ形状でなくてもよい。例えば、保持壁面４５２は、第一形成壁面５１０に厚み方向に対向しなくてもよいし、第一形成壁面５１０と平行でなくてもよい。また、第一形成壁面５１０と第二形成壁面５２０とが、下方向に凹む凹部を形成しなくてもよい。
【０１１２】
また、図２に示す取り出し部５７０の第一長さＬ１が、磁石４５１の第二長さＬ２以上であってもよい。また、直交方向において、壁面端部５１２が導入端部５８１より取り出し部５７０の反対側である左側にあってもよい。また、隔壁２０のビーズ保持部４１０側の面と磁石保持部４５０側の面の両方に突出部が設けられてもよい。また、図５に示す磁石平面４５７の面積は、隔壁平面２０５Ａ，２０５Ｂの面積以上であってもよい。また、傾斜面２１１，２１２，２２１，２３１，２４１，２４２が、夫々、段差部であってもよい。
【０１１３】
また、測定流路２５１〜２５４における隔壁２０Ａ〜２０Ｄは互いに異なる形状であった。しかし、例えば、本実施形態の測定流路２５１〜２５４のいずれか１つのみを、左右方向に４つ並べてもよい。また、例えば、最も左側の測定流路の検査液体注入部３９０に検査液体９５が注入され、他の３つ測定流路の検査液体注入部３９０に、夫々、種類が互いに異なる基準検査液体が注入されてもよい。基準検査液体は、検査液体９５を用いた測定データと比較する測定データを得るための検査液体である。そして、光学測定において、検査液体９５が使用された測定溶液９２１の測定データと、基準検査液体が使用された３つの測定溶液９２１の測定データとが比較されて、測定結果が算出されてもよい。
【符号の説明】
【０１１４】
２    検査チップ
９    試薬
２０，２０Ａ，２０Ｂ，２０Ｃ，２０Ｄ    隔壁
２１，２２，２３，２４    突出部
２５    液体流路
３１    磁性ビーズ
９    試薬
９１    反応停止液
９２    基質溶液
９３    洗浄液
９４    標識抗体液
９５    検査液体
９６，９６１    磁性ビーズ分散液
２０１Ａ，２０１Ｂ，２０１Ｃ，２０１Ｄ    第一部位
２０２Ａ，２０２Ｂ，２０２Ｃ，２０２Ｄ    第二部位
２０３    第一面
２０４    第二面
２０５Ａ，２０５Ｂ    隔壁平面
２０６，２０７，２０８，２０９    平面
２１１，２１２，２２１，２３１，２４１，２４２    傾斜面
３１０    反応停止液注入部
３３０    基質溶液注入部
３５０    洗浄液注入部
３７０    標識抗体液注入部
３９０    検査液体注入部
４１０，４１０Ａ，４１０Ｂ，４１０Ｃ，４１０Ｄ    ビーズ保持部
４３０    測定部
４５０，４５０Ａ，４５０Ｂ，４５０Ｃ，４５０Ｄ    磁石保持部
４５１    磁石
４５２，４５３，４５４，４５５，４５６    保持壁面
４５７    磁石平面
５１０    第一形成壁面
５１２    壁面端部
５６０    試薬導入部
５７０    取り出し部
５８１    導入端部
【図１】
0005910658.tif 000002
【図２】
0005910658.tif 000003
【図３】
0005910658.tif 000004
【図４】
0005910658.tif 000005
【図５】
0005910658.tif 000006
【図６】
0005910658.tif 000007
【図７】
0005910658.tif 000008
【図８】
0005910658.tif 000009
【図９】
0005910658.tif 000010
【図１０】
0005910658.tif 000011
【図１１】
0005910658.tif 000012